(57)【要約】【課題】余分な薬剤を使用せずに、物理的にシロアリの侵入を防止する断熱材の打継ぎ目地の構造を提供すること。【解決手段】基礎コンクリートまたは布基礎に張設された断熱材２と、断熱材２の打継ぎ目地の隙間３の任意の個所に穿孔した貫通穴８の中に流動性物質６を注入し、流動性物質６が貫通穴８の内部で硬化することにより形成される充填穴バリアー９と、を有する【選択図】図１
2010059712.tif 000002
【特許請求の範囲】
【請求項１】
基礎コンクリートまたは布基礎に張設された断熱材と、
前記断熱材の前記打継ぎ目地の隙間の任意の個所に穿孔した貫通穴の中に流動性物質を注入し、前記流動性物質が前記貫通穴の内部で硬化することにより形成される充填穴バリアーと、を有することを特徴とする断熱材の打継ぎ目地の構造。
【請求項２】
前記貫通穴は、前記断熱材の打継ぎ目地の隙間の幅よりも大きい幅を有する内径を持ち、前記断熱材の外側表面から裏面に至るように形成してある請求項１に記載の断熱材の打継ぎ目地の構造。
【請求項３】
前記貫通穴は、略円形の断面形状であり、鉛直方向に対して水平、または水平に対してやや斜めに前記断熱材の前記打継ぎ目地の隙間に穿孔されていることを特徴とする請求項１または２に記載の断熱材の打継ぎ目地の構造。
【請求項４】
前記貫通穴は、グランドラインから鉛直方向上方に存在することを特徴とする請求項１〜３のいずれかに記載の断熱材の打継ぎ目地の構造。
【請求項５】
前記流動性物質は、硬化後は空気を含有しない密実構造となり、防蟻薬剤を含有しない樹脂で、かつ、流動状態の体積と硬化後の体積との変化の差が小さい樹脂であり、前記断熱材に対して接着力を有することを特徴とする請求項１〜３のいずれかに記載の断熱材の打継ぎ目地の構造。
【請求項６】
前記流動性物質は、２５℃における粘度が５０００ｃｐｓ以上であり、硬化後のＤ硬度が４０以上であることを特徴とする請求項１〜５のいずれかに記載の断熱材の打継ぎ目地の構造。
【請求項７】
前記流動性物質は、主成分の樹脂と硬化剤または反応開始剤との複数の成分の反応により硬化する反応硬化型の樹脂であり、少なくとも２つの成分からなることを特徴とする請求項１〜６のいずれかに記載の断熱材の打継ぎ目地の構造。
【請求項８】
前記流動性物質は、常温で硬化する樹脂と、無機物の細骨材を混合してなる、２液反応硬化型の樹脂を主成分とするグラウト材であることを特徴とする請求項１〜６のいずれかに記載の断熱材の打継ぎ目地の構造。
【請求項９】
前記流動性物質は、セメントまたは石膏からなる無機物、樹脂、および細骨材と水とから構成されることを特徴とする請求項１〜６のいずれか１項に記載の断熱材の打継ぎ目地の構造。
【請求項１０】
前記貫通穴を穿孔した後、前記流動性物質が硬化する前に、前記流動性物質で満たされた前記貫通穴に充填用スティックを挿入し、前記流動性物質を硬化させ、
前記充填穴バリアーが、前記充填用スティックを有することを特徴とする請求項１〜９のいずれかに記載の断熱材の打継ぎ目地の構造。
【請求項１１】
前記充填用スティックは、外径が前記貫通穴の最小径より小さく、断面形状が略円形であり、前記充填用スティックの外径が前記貫通穴の最小径より５ｍｍ以上小さく、Ｄ硬度が４０以上で空気を含有しない密実構造であることを特徴とする請求項１０に記載の断熱材の打継ぎ目地の構造。
【請求項１２】
前記充填用スティックは、空洞部が貫通しているパイプ状、または前記断熱材と同質な材質からなることを特徴とする請求項１０に記載の断熱材の打継ぎ目地の構造。
【請求項１３】
前記断熱材は略Ｌ字型にあらかじめ成形されていることを特徴とする請求項１〜１２のいずれかに記載の断熱材の打継ぎ目地の構造。
【請求項１４】
前記貫通穴を塞ぐことができる大きさのメッシュ状の被覆材が、基礎布部表面の仕上げ下地に塗り込まれていることを特徴とする請求項１〜１３のいずれかに記載の断熱材の打継ぎ目地の構造。
【発明の詳細な説明】
【技術分野】
【０００１】
本発明は、建築物、特に住宅の防蟻構造に係り、さらに詳しくは、薬剤を用いない防蟻構造に関する。
【背景技術】
【０００２】
本発明は、建築物、特に住宅の基礎外断熱に用いられる防蟻性能を有する断熱材の打継ぎ目地の構造に関するものである。
【０００３】
本発明の目的は、イエシロアリやヤマトシロアリなどの地下シロアリが防蟻性を有する断熱材の継ぎ目地の隙間を通って建物へ侵入することを薬剤を使わずに物理的に防ぐことにある。本発明では、任意の継ぎ目地に断熱材と密着する障害物（本発明での充填穴バリアー）を流動性物質を用い建設現場で硬化成形させることによって、地下から建築物へと上がってくる地下シロアリの上昇を物理的に阻止し、上昇を抑えることによって建築物の蟻害防止を図っている。
【０００４】
本発明では、任意の打継ぎ目地に、断熱材と密着する障害物（本発明における充填穴バリアー）を、建設現場で硬化成形させることによって、地下から建築物へと上がってくるシロアリの侵入を物理的に阻止することによって建築物の食害防止を図っている。また、本発明は、一般的に行われている人体にも危険な薬剤散布等によるシロアリの殺傷とは異なり、障害物（充填穴バリアー）を用いて物理的にシロアリの行動範囲を規制することによって、蟻害を防止することに特徴がある。
【０００５】
本発明は、継ぎ目地の任意の個所に蟻道を遮断する防蟻手段である障害物（充填穴バリアー）を設けることにより、防蟻計画の適応力を高めることが出来、これまでにない技術的な優位さを実現するものである。また、本発明は、一般的に行われている人体にも危険な薬剤散布等によるシロアリの殺傷とは異なり、障害物（充填穴バリアー）を用いて物理的にシロアリの行動範囲を規制することによって、蟻害を防止することに特徴がある。
【０００６】
また、本発明で述べる防蟻性断熱材とは、防蟻性能を得る為に断熱材への薬剤塗布や混入、物性の高硬度化などの処置がなされており、処理されていない断熱材よりも防蟻性能が向上している断熱材を示している。
【０００７】
基礎布部のコンクリートに打ち込まれた版状の防蟻性断熱材の張設に伴う継ぎ目地の隙間を、地中から建築物へ地下シロアリが移動する通路としない為に、隙間の連続性を遮断し地下シロアリの建築物への上昇を阻止する防蟻薬剤を含有しない障害物を、個々の現場により異なる継ぎ目地の隙間の幅と位置に対応すべく、継ぎ目地の任意の箇所に充填用穴を穿孔し、不定形な流動物質で、硬化後の硬度が高く、防蟻断熱材との接着性が高い樹脂を注入し硬化させることにより、防蟻性断熱材の継ぎ目地に、隙間である蟻道を遮断し、シロアリが隙間を上昇することを阻止する充填穴バリアーを成形することによって、建築物の蟻害を物理的に防止することができる。
【０００８】
家屋構造の断熱・気密性能の向上と、冷暖房効果の向上の為に、基礎外周部で断熱する、いわゆる基礎外断熱工法がある。しかし、基礎外断熱工法では、床下環境が室内に近づくために、たとえば冬期は従来の工法による家屋に比べて床下環境が暖かく、イエシロアリやヤマトシロアリなどの地下シロアリ（以下、シロアリと言う）が侵入しやすい。したがって基礎外断熱用の断熱材自体が食害に遭い易いという問題点があった。
【０００９】
断熱材は基本的には防蟻性を持たないので、シロアリの食害を許してしまう場合があり、結果として断熱材の内部に蟻道を発生させてしまうことがある。
【００１０】
その様な、シロアリの攻撃に無防備な基礎外断熱を施した建物は数多く建てられ、今でさえシロアリに無頓着な基礎外断熱の建物が建てられているのが実態である。
【００１１】
近年、蟻害防止を目的とした断熱材も開発され、たとえば薬剤が塗布された物、薬剤が混入された物、シロアリが食害できないように硬度を高めた物、食害されない材料で断熱材を覆った物や、硬度を上げた物などが生産されるようになってきた。
【００１２】
ところで、基礎外断熱工法において、防蟻性断熱材をコンクリートの打ちこみ型枠に張設する場合に、断熱材の継ぎ部分の目地に隙間が生じる。しかし、断熱材が版状である場合には、捨てコン下地や型枠の凸凹、断熱材自体のゆがみ、製作と施工の寸法誤差等さまざまな要因によって、断熱版間の目地に隙間なく完全に防蟻性断熱材を張設することは殆ど不可能である。
【００１３】
基礎外断熱工法において防蟻性断熱材を張設する場合に、上述したように、目地には隙間を伴うことが避けられない。したがって、基礎断熱材の型枠への張設には、打継ぎ目地に発生する隙間を許容すると考える方が現実に沿っている。その場合には、コンクリートの打設は、打継ぎ目地の隙間をそのまま残して断熱材を打ち込み、固定化することになる。
【００１４】
しかしシロアリは、場合によってはこの隙間を通って、上方の土台や柱等の建築構造部材に到達することが可能となるおそれがある。防蟻性断熱材の打継ぎ目地の隙間は、屋外表面が仕上げ材で覆われている為に、シロアリが嫌う光、風などが無く、格好の蟻道となりうるからである。その場合には、シロアリの地下から上部の建物への上昇は、容易に行われ、家屋の食害の発生は必至である。すなわち、防蟻性断熱材の存在が、その打継ぎ目地の為に防蟻性効果が無効になってしまうおそれがある。
【００１５】
防蟻性断熱材の有効性が、継ぎ目地の為に無効になることすら想像されるのが実際の状況である。
【００１６】
防蟻性断熱材が版状であることにより、断熱材間で、シロアリが通過しえる隙間が継ぎ目地に生じてしまうという問題がある。シロアリは、地中内部に埋もれている打継ぎ目地の隙間を通って上部の建築物へと到達する。特に断熱材の下部は、基礎のコンクリートに行き当たったシロアリがコンクリートづたいに沿って移動し侵入しやすい部分となりうる。
【００１７】
このような隙間の発生を防止するには、隙間に定形物を挟んで隙間を埋めてしまうことや、不定形物を塗って隙間を無くす等の方法が考えられる。しかし型枠に断熱材を張設する時に生じる隙間は一定ではない。また、打継ぎ目地自体も平滑ではなく凹凸のある打継ぎ目地になっているのが現実である。
【００１８】
さらには、断熱材の張設後に配筋が行われ、さらにコンクリートが打設されるために、断熱材は微妙に動くことになり、打継ぎ目地も不動のままではない。すなわち、打継ぎ目地の防蟻のための措置は、断熱材の取り付け位置が確定し、固定された後に行うのが妥当であると考えられる。
【００１９】
これまでに隙間を塞ぐ手段としての従来技術として、防蟻性断熱材とは関連しないものも含めて、シロアリの侵入経路を遮断したり、侵入を阻止したりする方法が数多く開示されている。
【００２０】
たとえば、隙間充填物用組成物として防蟻薬剤を混入した常温硬化性シーリング材に関する技術が開示されている（特許文献１参照）。また、防蟻薬剤を含まない一般に見られる様々な物質を非可食で耐蟻性のある物質であるとしているが、シーリング材に関しては、実験的にも実際にも防蟻性を認めにくい弾性シーラントまでが含まれている（特許文献２、特許文献３参照）。
【００２１】
しかし、防蟻薬剤を含まない、一般に見られる様々な材料を使用することにより、防蟻性を達成することは可能であり、シーリング材や接着剤に不要に防蟻薬剤を混入する事は、人体への悪影響が懸念されるために好ましいものではない。
【００２２】
防蟻性断熱材の厚さ方向の継ぎ目部分の隙間の塞ぎ方は、特許文献４や特許文献５において開示されているが、本発明とは充填穴の穿孔、流動性物質、作業法などが異なるものである。
【００２３】
隙間を無くし、それが蟻道を遮断するという考えにおいては、不完全さを内在する方法である。特許文献５の発明は、厚さ方向の隙間を塞ぐ方法を開示しつつも、技術的難点を有すると思われる。そこには、本発明のような流動物質で隙間を充填し、空隙を残さずに、密実に隙間を塞ぐという発想が無いためであると推測しえる。その意味において、本発明とは技術的思想並びにその具体的方法を異にすると考えられる。
【００２４】
防蟻薬剤を接着剤や充填材に混入し、防蟻断熱材を前提として、断熱材間の隙間の塞ぎ方等を開示している技術がある（特許文献４参照）。また、断熱材の継ぎ目上端部にではあるが、断熱材の厚さ方向の隙間の充填についても言及している。しかし充填穿孔穴の考えがなく、また、薬剤混入による防蟻性能の確保は、防蟻薬剤を使わない物理的防蟻工法である本発明と全く技術思想を異にするものである。
【００２５】
実際の施工となると、特許文献４や特許文献５による方法では、発明による蟻道遮断の方法に比べれば複雑であり、煩雑である。現実的には、簡便さと確実さとが要求されていると考える。
【００２６】
特許文献６は、たとえば、変性シリコンを主成分とするシーリング材には防蟻性が無いことを明示した上で、シーリング材の不定形性と流動性を活かしつつ、高硬度粒子である珪砂の混入によりシーリング材に防蟻性を付与しようとするものである。技術思想は、本発明で用いられる充填材とは全く異なるが、特許文献３とは全く異なり、薬剤を使わずにシーリング材に物理的防蟻性能を確保するという点では本発明と類似するものである。
【００２７】
断熱材の防蟻性能の必要性が認識されるようになり、それなりの防蟻性を備えた版状の防蟻性断熱材が幾つか開発されているが、本発明で取り上げた様な版状であるがために生じる継ぎ目地の隙間によって、せっかくの断熱材がもつ防蟻性が発揮されない場合が想定されるにも拘らず、その部分に関する開発の歩調があっていないと思われる。その様な状況を見るに、断熱材保護の為の防蟻性であって、建物を守る為の防蟻性では無いと感じざるを得ない。
【００２８】
以上のように、防蟻性断熱材の継ぎ目地の隙間を塞ぐには、二つの場合がある。一つは、断熱材の外側表面に現れる隙間の表面をシーリングすることである。この場合は、隙間の幅が小さくとも、シーリング材をヘラなどでしごいて隙間に押し込めば、一応は隙間をシールすることが可能である。シーリング材が隙間に入る深さは大きくは無いが、基礎の仕上げ下地、仕上げなどがその上から重なるのが一般的であることから、表面での防蟻性は確保し易い。
【００２９】
もう一つの場合は、断熱材がコンクリートに打ち込まれ固定化された後に、隙間の厚さ方向に充填材を如何に確実に充填するかである。この場合は表面と異なり深く充填する必要があるが、或る程度の隙間の幅がなければしごいても深くは充填されない。本発明は、以上のような実情に鑑みてなされ、防蟻性断熱材の厚さ方向に関しての隙間の充填を確実に、しかも現場の屋外作業において迅速に、しかも簡易に行うことを目的としている。
【００３０】
また、何処の部分で予想される蟻道を遮断するかは、原則はあるものの現場ごとの判断となり、任意の位置に蟻道遮断の措置を設けられることも必要である。防蟻性断熱材といえども、土台や受け桟気の真下までシロアリが隙間を上がって来ているのでは、何かの具合で蟻害に遭ってしまうことも十分に考えられるからである。一般的にはシロアリの蟻道の遮断や閉鎖は、出来るだけ地表近くで確実に行われなければならない。断熱材上部での隙間塞ぎや天端の蟻返しは、最後の侵入阻止の手段と考えるべきであり、蟻害の心配の無いところで防蟻するのが好ましいことは言うまでもない。無論このことは、一般と同様に本発明においても基礎上部に蟻道の遮断を行う充填穴バリアーの設置を排除するものではない。
【００３１】
前述の課題と先行技術において述べたように、全ての打継ぎ目地部分に隙間を塞ぐ障害物を施工することは、煩雑であり、非経済的であるのみならず、基礎外断熱としての断熱性能にも欠点をもたらすことになる。目地を塞ぐための物質は、断熱材と比較して著しく断熱性能を損なうものであってはならない。たとえば、金属類で障害物をつくることは、熱橋を形成してしまうことになり、断熱工法としては好ましいとは言えない。
【特許文献１】特開２００１−２７４８５０号公報
【特許文献２】特開２００２−０６１３１０号公報
【特許文献３】特願２０００−６０２７７号公報
【特許文献４】特開２００７−２４７３１３号公報
【特許文献５】特開２００８−１４００３号公報
【特許文献６】特開２００５−１６３０２４号公報
【発明の開示】
【発明が解決しようとする課題】
【００３２】
本発明は、このような実状に鑑みてなされ、その目的は、シロアリが防蟻性断熱材の打継ぎ目地の隙間を通って建物へ侵入することに対して、薬剤を使わずに物理的に侵入を防止する断熱材の打継ぎ目地の構造とすることにより、薬剤による人体への悪影響を回避すると共に、蟻害の発生を防止して建物の超寿命化を図ることである。
【課題を解決するための手段】
【００３３】
本発明の特徴は、防蟻性断熱材の張設による打継ぎ目地の隙間の発生を当然の事として許容し、打継ぎ目地全体を接着や充填により塞ぐのではなく、個々の現場の基礎外断熱の防蟻計画に基づいて、任意の箇所で蟻道の遮断が可能な、且つ確実に早く施工できる現場対応性の高い方法を提供することにある。
【００３４】
本発明は、防蟻性断熱材の固定の後、とくに防蟻性断熱材の打ち込み後に、継ぎ目地に充填穴バリアーの形成による防蟻措置を施されることによって、最も好ましい効果を発揮するものである。
【００３５】
上記目的を達成するために、本発明に係る防蟻性断熱材の打継ぎ目地の構造は、
基礎コンクリートまたは布基礎に張設された断熱材と、
前記断熱材の前記打継ぎ目地の隙間の任意の個所に穿孔した貫通穴の中に流動性物質を注入し、前記流動性物質が前記貫通穴の内部で硬化することにより形成される充填穴バリアーと、を有する。
【００３６】
断熱材の打継ぎ目地の隙間の任意の個所に、貫通穴を設け、その貫通穴の中に流動性物質を注入して、流動性物質が硬化することにより、打継ぎ目地の隙間が封鎖されて、打継ぎ目地の隙間を伝ってくるシロアリの侵入を効果的に防止することができる。
【００３７】
前記貫通穴は、前記断熱材の打継ぎ目地の隙間の幅よりも大きい幅を有する内径を持ち、前記断熱材の外側表面から裏面に至るようにしてもよい。
【００３８】
貫通穴の幅を、断熱材の打継ぎ目地の隙間の幅よりも大きくし、断熱材の外側表面から裏面に至るようにすることにより、流動性物質の保持力を高めると共に、隙間をなくして蟻道の発生を防止することができる。
【００３９】
前記貫通穴は、略円形の断面形状であり、鉛直方向に対して水平、または水平に対してやや斜めに前記断熱材の前記打継ぎ目地の隙間に穿孔されていることが好ましい。
【００４０】
水平に対してやや斜めに貫通穴が穿孔されていることにより、流動性物質を、空気の巻き込みを抑えて注入することができる。
【００４１】
前記貫通穴は、グランドラインから鉛直方向上方に存在することが好ましい。
【００４２】
充填穴バリアーが、好ましくはグランドラインとその上方１５ｃｍ以内との間の打継ぎ目地に効果的に配置されることにより、グランドラインから上方１５ｃｍ以上の木造部分へのシロアリの侵入を効果的に防止することができる。
【００４３】
前記流動性物質は、硬化後は空気を含有しない密実構造となり、防蟻薬剤を含有しない樹脂で、かつ、流動状態の体積と硬化後の体積との変化の差が小さい樹脂であり、前記断熱材に対して接着力を有することが好ましい。
【００４４】
流動性物質に防蟻薬剤を含有させないようにすることにより、居住者または作業者への薬剤による悪影響を低減させることができる。また、充填穴バリアーがある程度以上の接着力を有する必要がある。好ましくは、３０Ｎ／平方ｃｍ以上の接着力を有することにより、有効にシロアリの食害を防止することができる。
【００４５】
前記流動性物質は、２５℃における粘度が５０００ｃｐｓ以上であり、硬化後のＤ硬度が４０以上であることが好ましい。
【００４６】
流動性物質の２５℃における粘度が５０００ｃｐｓ以上であることにより、水平作業が容易に行われ、硬度がＤ４０以上であることにより、シロアリの食害に耐えることができる。これにより食害を防止できことが、（社）日本木材保存協会規格の第１３号試験で示されている。
【００４７】
前記流動性物質は、主成分の樹脂と硬化剤または反応開始剤との複数の成分の反応により硬化する反応硬化型の樹脂であり、少なくとも２つの成分からなることが好ましい。
【００４８】
穿孔された充填穴の中で流動性物質の硬化が行われるために、空気を必要とする湿気反応型ではなく複数の成分による反応硬化型が望ましい。
【００４９】
前記流動性物質は、常温で硬化する樹脂と、無機物の細骨材を混合してなる、２液反応硬化型の樹脂を主成分とするグラウト材であってもよい。
【００５０】
高価な樹脂を多量に用いることなく、細骨材を増量剤として混入させることにより、コストを低減させることができる。
【００５１】
前記流動性物質は、セメントまたは石膏からなる無機物、樹脂、および細骨材と水とから構成されてもよい。
【００５２】
それほど充填作業に早さが求められなかったり、また、コスト的な余裕が無いような場合には、流動性物質がセメント、石膏、樹脂などの常温硬性の無機物と適量の樹脂分、及び細骨材と水とから構成される樹脂モルタル等を使用することにより、樹脂を大量に使用することによるコストを低減させることができる。ただし、この場合には流動体である時の体積と硬化後の体積の変化が少なからずある場合には、充填に注意を要する。また、硬化時間も長い為、天候への注意や温度等の養生なども多成分反応硬化型とは異なる施工要領を必要とする。
【００５３】
前記貫通穴を穿孔した後、前記流動性物質が硬化する前に、前記流動性物質で満たされた前記貫通穴に充填用スティックを挿入し、前記流動性物質を硬化させ、
前記充填穴バリアーが、前記充填用スティックを有してもよい。
【００５４】
硬い充填用スティックを充填穴の中に挿入することにより、充填穴バリアーの強度が増すというメリットの他に、充填材の一成分である高価な樹脂の使用量を低減させることができる。
【００５５】
前記充填用スティックは、外径が前記貫通穴の最小径より小さく、断面形状が略円形であり、前記充填用スティックの外径が前記貫通穴の最小径より５ｍｍ以上小さく、Ｄ硬度が４０以上で空気を含有しない密実構造であることが好ましい。
【００５６】
充填用スティックの外径が貫通穴の最小径より５ｍｍ程度小さいことにより、貫通穴を穿孔する際に生じる凸凹を充填材によって吸収することができる。さらに、充填用スティックのＤ硬度が４０以上の十分な硬さを有することにより、耐久性が向上する。
【００５７】
前記充填用スティックは、空洞部が貫通しているパイプ状、または前記断熱材と同質な材質からなるようにしてもよい。
【００５８】
充填用スティックを、パイプ状、または断熱材と同質な材質にすることにより、断熱材の断熱性能を低減させることなく、防蟻性能の向上を図ることができる。
【００５９】
前記断熱材は略Ｌ字型にあらかじめ成形されていてもよい。
【００６０】
略Ｌ字型に一体成形にすることにより、作業現場での工程を減らすことができ、作業性が向上する。
【００６１】
前記貫通穴を塞ぐことができる大きさのメッシュ状の被覆材が、基礎布部表面の仕上げ下地に塗り込んでもよい。
【００６２】
メッシュ状の被覆材を塗り込むことにより、紫外線、損傷など外部からの影響を長期にわたって低減させることができると共に、打継ぎ目地の開きを防止することができ、長期にわたって防蟻性能を維持することができる。
【００６３】
なお、本発明は、後述の実施形態の構成を適宜改良してもよく、また、少なくとも一部を他の構成物に代替させてもよい。更に、その配置について特に限定のない構成要件は、実施形態で開示した配置に限らず、その機能を達成できる位置に配置することができる。
【発明の効果】
【００６４】
本発明において、打継ぎ目地の隙間に施される充填穴は、断熱材の側面から見ればいわば点として設けられ、断熱材の厚さ方向で見れば細い線として設けられれば良いのであるから、構造的にも断熱性能を損なう熱橋となり難く、断熱性能を低減させることなく防蟻性を向上させることができる。さらに、流動性の樹脂を用いれば、熱橋となる可能性は更に小さくなる。
【００６５】
また、接着剤や充填材に薬剤を混入した場合の防蟻性能の持続時間は、建物の存続時間に比較すれば短い。通常、薬効の半減期が３年〜５年といわれており、たとえ薬剤を混入させたとしても、薬剤の取替えが必要である。皮肉なことに、シロアリが新築の地業の為に建設場所を離れて、再び地下に潜伏する時期は築後３年〜５年といわれている。新築の時にはシロアリは建物周辺には居なく、丁度最初の薬効が切れる頃に現れ始めることになる。本発明のように充填材に薬剤を混入させないようにすることにより、居住者または作業者への影響を低減させることができるばかりか、薬剤の取替え工事をする手間を省くこともできる。
【００６６】
本発明における充填穴バリアーの防蟻性は、充填物質である流動物質の防蟻性、耐蟻性に依存しており、ウレタンが合成直後から劣化を開始するといわれるが、建物の存続期間は、光や空気が当たりにくいために、薬剤ほどに防蟻性の効果を失うものではない。エポキシ等は屋外利用ですでに５０年の耐久性の実績があるといわれている。
【００６７】
本発明によれば、版状の防蟻性断熱材の施工に伴う打継ぎ目地の隙間に蟻道ができてしまうことを防止できる。したがって家屋の安全性、耐久性を持続的に向上させることが可能である。
【発明を実施するための最良の形態】
【００６８】
以下、本発明を、図面に示す実施形態に基づき説明する。
【００６９】
本発明が実施される基礎外断熱工法では、既に防蟻性断熱材がコンクリート基礎の布部に打ち込まれているか、または、コンクリート基礎布部に防蟻性断熱材がコンクリート打ちこみの接着強度以上、例えば３０Ｎ／平方ｃｍの接着力を持つ耐蟻性の接着剤を用いて隙間なく密着して張設されている状態であるが、本実施形態では、防蟻性断熱材が完全に基礎コンクリートに打ち込まれている場合について述べる。
【００７０】
本発明に言う防蟻性能を有する断熱材とは、版状の断熱材であり、かつ、防蟻性能を得る為に断熱材への薬剤塗布や混入、物性の高硬度化、耐蟻性のある面材などで断熱材を被覆するなどの処置がなされており、処置されていない断熱材よりも防蟻性能が向上している断熱材を示している。以下、このような断熱材を防蟻性断熱材と表現する。
【００７１】
薬剤としては、ホウ酸やハチク酸、また有機リン系、ピレスロイド系などの防蟻薬剤、また、物性の高度化に関してはガラス発泡体、ポリカーボネート発泡体、硬質塩ビ発泡体などがあり、また、面材としては無機系、金属系の被覆材が用いられている。これら防蟻性断熱材の防蟻性能は異なるようであるが、本発明にとってはそれらの防蟻性能を所与の前提としている。本発明は、防蟻性断熱材が版状であることによって生じる継ぎ目地の隙間が、蟻道になり、上部の建物に蟻害を及ぼすことを防止することにある。
【００７２】
繋ぎ目地の隙間を塞ぐ困難さは、防蟻断熱材の表面に現れる隙間ではなく、厚さ方向に出来る隙間を塞ぐことにある。表面上隙間が無いように見えても、厚さ方向で隙間が出来てしまう事は、現場施工の状態から容易に理解されるところである。
【００７３】
しかし、基礎布部のコンクリートに打ち込まれた防蟻性断熱材の厚さ方向の継ぎ目地の隙間を全て塞ぐ事は、甚だ困難であると共に、狭い幅の空間に充填する技術も一般の住宅の建設では難しい。多くの先行出願は、極めて狭い目地の隙間にも充填することが記載されているが、その現実性は希薄である。
【００７４】
本発明においては、全ての厚さ方向の継ぎ目地の隙間を塞ぐことはせずに、充填を容易に且つ確実に行えるようにあえて充填穴を穿孔している。充填穴は、断熱欠損を作るが、充填材の選定と充填穴の数とによって欠損を小さくすることが可能であり、実際問題として大きく熱損失がこのために増加することは無い。
【００７５】
図１に示すように、基礎コンクリート１に打ち込まれた、または張設された防蟻性断熱材２の打継ぎ目地の任意の個所に、その目地の隙間の幅以上の隙間３を包含する最小な内径をもつ充填穴８を所定の位置に穿孔する。充填穴８は防蟻性断熱材２の表面から裏面に至るまで穿孔する。
【００７６】
本発明においては、全ての厚さ方向の打継ぎ目地の隙間３を塞ぐことはせずに、充填を容易に且つ確実に行えるように、後に詳細に述べるように、あえて所定の位置にのみ充填穴８を穿孔している。充填穴８は、断熱欠損を作るが、充填材の選定と充填穴８の数とによって欠損を小さくすることが可能であり、実際問題としてこのために大きく熱損失が増加することは無い。
【００７７】
充填穴８の断面形状は、任意な断型でよいが、本実施形態では略円形断面を代表として述べる。充填穴８の断面形状は、隙間３の最大幅以上の幅を持つことが要件である。実際には、或る径をもつ円形ドリルで穿孔することが好ましい。これまでの実験においては、直径５ｍｍ〜１５ｍｍのドリルで穿孔すると効果的であり、充填も円滑に行われる。
【００７８】
充填穴は、水平または、水平に対してやや斜めに穿孔された穴である。そして、少なくともグランドラインとその上方１５ｃｍ以内との間の継ぎ目地、及び交差する継ぎ目地の交点のその最大の隙間幅以上の隙間を包含する直径の充填穴を所定の位置に穿孔し、また、状況に応じて任意に継ぎ目地に充填穴を穿孔して、施工現場に即した充填穴バリアーの配置を行う。その充填穴の中に流動物質を注入し、流動物質が穴もしくはその一部、もしくは継ぎ目地の隙間の内部で硬化することにより、継ぎ目地の隙間の連続性を遮断し、シロアリ侵入の経路となる継ぎ目地の隙間を封鎖することができる。
【００７９】
図２に示すように、充填穴８の中に流動性物質６（ハッチング）を注入し、流動性物質６が充填穴８もしくはその一部、もしくは打継ぎ目地の隙間３の内部で硬化することにより、打継ぎ目地の隙間３の連続性を遮断し、シロアリ侵入の経路となる打継ぎ目地の隙間３を封鎖する充填穴バリアー９を有することにある。
【００８０】
流動性物質６の注入により、円滑に充填穴８内の空気が押し出されるようにするには、図示しないノズルと図１に示す充填穴８の外周壁との間に、１ｍｍ前後の間隙があれば、空気を十分に押し出すことが可能である。防蟻性断熱材２の打継ぎ目地の隙間３は、０ｍｍ以上３ｍｍ以下の場合が殆どであるから、交差打継ぎ目地や穿孔の方向誤差等を考慮すると、例えば、１１ｍｍ径のドリルで充填穴８を穿孔して、９ｍｍのノズルで流動性物質６を注入することが好ましい。
【００８１】
充填穴８は、図２に示すように水平、または図４に示すように断熱材の厚さとドリルの径と長さとの関係で隙間を包含できる範囲で多少下向きに穿孔されることが好ましい。充填材が流動性物質であることと、空気の巻き込みを少なくするためである。この場合はドリルの先端がコンクリートのかぶりを削ぐことになるが、そのためには多少余裕の有るかぶり厚さにしておけばよい。そして、少なくともグランドラインとその上方１５ｃｍ以内との間の所定の打継ぎ目地に充填穴８を穿孔する。
【００８２】
日本で一般的に見られるシロアリは、ヤマトシロアリ、イエシロアリの２種類で、防蟻対策もこの２種類を対象に行われている。光や風など、皮膚の乾燥を極度に嫌うシロアリは、地上に出てきて基礎を這い上がり、上部の建物に蟻害を与える事は無く、地上面以上に現れる時は常に光、風をさえぎるトンネル状の蟻道を形成しながらあがってくる。そのため地下からの侵入阻止は、地表面以下で行う必要があるが、防蟻性断熱材の場合には地表面またはその近傍で行えば十分である。
【００８３】
隙間の封鎖を断熱材上部で行う先行出願の提案内容に散見されるが、それは隙間の塞ぎ方が本発明のようになっていないためであり、本体は蟻害に遭い易い木部近くではなく、地表近くから侵入阻止を図ってゆくことが賢明である。それ故、本発明においては先ずは地表面から上方１５ｃｍとの間の継ぎ手目地に充填穴バリアーを設ける。１５ｃｍという数値は、シロアリの動向や蟻道の有無を監視するためのスペースとして米国で提唱された数値であるが、日本においてもそれを踏襲している。
【００８４】
また、継ぎ目地が交差する箇所にはシロアリの行動の拡散を防ぐ為に、必ず充填バリアーを設ける必要がある。さらに、個々の防蟻計画を持つ現場、物件においては、必要に応じて任意の箇所に充填穴バリアーを設けることができる。このような充填穴バリアーにより最小限の施工で、継ぎ目地の要を得た現実的な、しかし確実な封鎖が可能となる。図２は、基礎布部を外断熱した防蟻性断熱材の表面と継ぎ目地、及び目地に設けられる充填穴バリアーの位置を、シロアリの侵入経路と共に例示してある。
【００８５】
図３に示すように、任意の箇所に打継ぎ目地の隙間３に充填穴８を穿孔して、施工現場に即した充填穴バリアー９の配置を行うが、以下の原則が前提となる。９１はグランドラインとその上方１５ｃｍ以内との間に設ける充填穴バリアー、９２は交差目地に設ける充填穴バリアー、９３は安全のために基礎上部に設ける充填穴バリアーである。このようにして、打継ぎ目地の隙間３の連続性を遮断し、シロアリ侵入の経路となる打継ぎ目地の隙間３を封鎖することができる。図３中の矢印はシロアリの侵入経路を模式的に示したものである。
【００８６】
光や風など、皮膚の乾燥を極度に嫌うシロアリは、地上に出てきて基礎を這い上がり、上部の建物に食害を与える事は無く、地上面以上に現れる時は常に光や風を遮るトンネル状の蟻道を形成しながら上がってくる。そのため、地下からの侵入阻止は、地表面以下で行う必要があるが、防蟻断熱材２の場合には、地表面またはその近傍で行えば十分である。
【００８７】
地表近くから侵入阻止を図ってゆくことが効果的であるので、本発明においては、先ずはグランドラインとその上方１５ｃｍ以内との間の継ぎ手目地の隙間３に充填穴バリアー９を設ける。
【００８８】
充填穴８に充填される流動性物質６は、硬化後は非発泡体で密実であり、かつ、防蟻薬剤を含有しない樹脂で、かつ、流動状態の体積と硬化後の体積の変化の差が小さい樹脂である。その接着力は、防蟻性断熱材２の面で基材破壊する以上、好ましくは３０Ｎ／平方ｃｍ以上で、その粘度は水平作業ができる程度、好ましくは２５℃以上で５０００ｃｐｓの粘度があることが好ましい。そして、硬化後の硬度がシロアリの食害に耐えうるほどの硬度、好ましくはＤ硬度４０以上を有する、エポキシ樹脂やアクリル樹脂、ウレタン樹脂等を主成分とする。
【００８９】
本発明においては、主に汎用的な高粘度の２液反応硬化型のエポキシ樹脂を好ましいとしている。その反応温度は６０℃程度であり、発泡ポリスチレンや発泡ウレタン、発砲ポリカーボネート、硬質塩ビ発泡体などの防蟻性断熱材２の基材に悪影響を与えないことが好ましい。そして充填穴８の周壁が断熱材２で保温性も高い状況に置かれることから、日施工温度を５℃とする通常の基準よりも良好な温度環境下で硬化反応を行うことができる。つまり、施工可能期間を長く設定することができ、工事にゆとりができることにより、建築物の品質向上につながる。
【００９０】
本発明においては、流動性物質６が硬化した後は、非発泡で密実な物質となり、防蟻断熱材２との接着強度が３０Ｎ／平方ｃｍ以上の接着力を有し、Ｄ４０以上の硬度を有するものである。これにより食害を防止できことが、（社）日本木材保存協会規格の第１３号試験で示されている。シロアリの食害に耐える為には、単に硬度だけがあればよい訳ではない。本実施形態においては、たとえば充填用流動性物質の主成分であるエポキシ樹脂やアクリル樹脂、ウレタン樹脂などは、シロアリの分泌物などに対する耐性を有するので、食害防止に効果的である。
【００９１】
流動性物質６の充填作業は、前述したように水平作業となる為に、流動性物質６の粘土が重要になるので、２５℃で５０００ｃｐｓ以上の粘度があれば、水平作業は可能である。
【００９２】
流動性物質６の硬化は、充填穴８の内部で行われる為に、空気をさして必要としない多成分（多液）反応が好ましい。主成分の樹脂と、硬化剤または反応開始剤との複数の成分の反応により硬化させる。
【００９３】
流動性物質６の、多成分による反応硬化の配合や調整は、カートリッジに成分別に分けられているのが一般的で、液状樹脂を充填ガンで混合しながら吐出することも可能になっており、なんら作業性に問題が無い。充填された流動性物質が早く硬化する事は、作業現場での生産効率の向上と、作業者の屋外環境での身体的負荷を軽減するのに役立つ。
【００９４】
また、高価な樹脂の固まりではなく、細骨材を増量剤として混入して、樹脂の優れた点を活かしながらも、コストを抑える方法も好ましい。その一例として、流動性物質が常温硬化の樹脂と微小な無機物の細骨材との混合からなる２液反応硬化型の樹脂を主成分とするグラウト材であることを特徴とした樹脂を用いて、充填穴バリアー９を形成する方法である。
【００９５】
次に、図５に示すように、充填用スティック１２を用いた場合について説明する。
【００９６】
まず、充填穴８の内部に流動性物質６（ハッチング）を適量充填する（充填穴を完全に満たす必要はない）。その流動性物質が硬化する前に、充填穴８の内部に充填用スティック１２を挿入する。充填用スティック１２は、最大の外径が充填穴８の最小径より小さく、任意な断面形状を有するものとする。充填用スティック１２の長さは、図７に示すように、充填穴８の長さＬ１よりも小さく、たとえばＬ２である。そしてＤ硬度が４０以上の、非発泡状の密実な充填用スティック１２とする。充填用スティック１２は、空洞部が貫通しているパイプ状、または防蟻性断熱材２と同質のものにしてもよい。
【００９７】
図５に示すように、充填穴の表面開口部４と充填用スティック１２の小口表面１２ａが面一になるように、充填用スティック１２を挿入する。挿入時に流動性物質６が充填用スティック１２の小口表面１２ａ以外の面と、断熱材２との間に形成される空洞に充溢される。この際に、防蟻性断熱材２と流動性物質６と充填用スティック１２の表面が面一になるようにする。そして、硬化が始まっている漏出した流動性物質を除去し、しかる後に流動性物質６が完全硬化することにより、防蟻性断熱材２の打継ぎ目地の隙間３の連続性を遮断する。
【００９８】
充填用スティック１２を用いる場合に、図１の充填穴８に充填する流動性物質６の量は、図５に示すように、充填穴８の体積から充填用スティック１２の体積を引いたもの（ｃ）と、打継ぎ目地の隙間３に充填される量（ｄ）との合計である。しかし厳密に求めなくとも、（ｃ）の１．５倍程度の量を充填すれば、Ｔ型に交差する打継ぎ目地でも十分に充填される。
【００９９】
また、穿孔穴に対して比較的大きな骨材を詰め込み、流動物質を充填することも考えられたが、その場合に充填材が完全に骨材間にも充填されている必要があるが、実験的には骨材間を完全に埋めるには困難があった。施工の確実性と速さから、所要の硬度を持つ充填用スチックを挿入するほうが合理的である。
【０１００】
充填用スティックの断面形状は任意であるが、充填穴に挿入できる大きさで、流動性物質が充填用スチックと充填穴の周壁との空間に行き渡り易いものが好ましい。実際には、円形断面の充填用スティックは、ドリルを用いた円形断面の充填穴の周壁との観点からも好ましい。
【０１０１】
図６および図７に示すように、充填用スティック１２が充填穴８の奥へ挿入されるにしたがって、流動性物質６は充填穴８と充填用スティック１２との間の空間を、図６のようにコンクリート１のほうから充溢しながら充填穴８の開口部に向かってくる。図６に示すように、打継ぎ目地の隙間３にも流入する流動性物質６は、充填用スティック１２が完全に挿入された後には、図７に示すように６ａとなり、適度の時間が経過した後に、硬化する。
【０１０２】
作業現場において、多くの場合は、流動性物質６が充填穴８から漏出する。したがって、適度に硬化する時間をおいた後に、ヘラなどを用いて、漏出した流動性物質６を除去し、図７に示すように、充填穴の表面開口部４が略同一面になるようにする。この時、防蟻性断熱材２の表面と、充填穴８の開口面と、硬化した流動性物質と、充填用スティックの小口表面１２ａとが略同一面になるように、ヘラなどを用いてしゃくり取るのである。それぞれの面が多少凸凹になったとしても、実際には仕上げ下地が数ミリの厚さで塗られる為に、実質的な問題は生じない。
【０１０３】
また、流動性物質６と充填用スティック１２の素材との関係で、充填用スティック１２側にプライマー（反応開始材）を塗布する必要がある場合がある。特に充填用スティック１２が流動性物質の主成分と異なる場合等であり、例えば充填用の塩ビスティックとエポキシ樹脂（流動性物質）との組み合わせでは、プライマーが塗布されているほうが接着性が向上する。
【０１０４】
図５に示したように、充填穴８と充填用スティック１２とが円形断面の場合、充填用スティック１２と流動性物質６の比重差が大きい場合には、充填用スティック１２が挿入後に動く可能性があり、必ずしも充填用スティック１２が充填穴８の中央に納まるとは限らない。しかし、流動性物質６を、粘度が大きく硬化速度の速い反応樹脂にすれば、充填用スティック１２をある程度充填穴８の中央近辺に納める事が可能である。
【０１０５】
図７に示す、充填用スティック１２とコンクリート１との間に設けた間隙Ｌ３の有効性について述べる。単に充填用スティック１２をコンクリート１の面に接着させる場合に比べ、接着性のある流動性物質６が充填穴８の外周壁の部分と一体的に充填されていることから、充填穴バリアー９全体がコンクリート１の面との密な接着がされていることになり、充填穴バリアー９の構造が強固になる。
【０１０６】
さらに、この間隙Ｌ３は、防蟻性断熱材２の打継ぎ目地の凹凸や、隙間３によってできるコンクリート１の不陸や突起を、充填された流動性物質６の内部に吸収する。さらに、充填穴バリアー９とコンクリート１の面との間に隙間を作らない為にも有効である。隙間は蟻道の形成を許してしまう可能性があるからである。
【０１０７】
図５〜図７に示したように、充填用スティック１２を用いることによる更なる利点は、流動性物質６の充填量が少なくて済むからである。図２に示すように流動性物質の充填のみで充填穴８を満たす場合に、充填量が多いことが原因で充填量と充填ガンの引きとのバランスが要求される場合があるからである。充填用スティック１２を用いる場合には、充填量と充填用スティック１２の挿入速さ、及びヘラで溢れ出た流動性物質をしゃくり取るタイミングを決めておけば、安定した施工性と精度を得ることができる。また、使用する流動性物質が少なくなる為に、硬化速度も早くなり作業性も向上する。
【０１０８】
さらに、図８に示すように、防蟻性断熱材２からなる出隅、入り隅部材を予め成形しておいて一体成形されたコーナー部材１４（ハッチング）とすることによって、作業現場での打継ぎ目地の処理を最小にすることができる。また、打継ぎ目地の隙間３の数も少なくなり、防蟻性能の観点からしても好ましい。
【０１０９】
コーナー部は、現場で断熱版を切って型枠に張設する場合に、往々にして凹凸が生じ、納まりが難しい部分であり、それがために隙間も生じ易い。その問題を回避する方法として、予めコーナー部材を防蟻性断熱材１２を略Ｌ字型に加工して、それを現場で利用すると簡便で納まりのよい施工が出来、また継ぎ目地の隙間も少なくなり防蟻上からも好ましい。
【０１１０】
本発明を実施するにあたっては、図８に示すように、出隅や入り隅の部分、及び防蟻性断熱材２の天端２ａに現れる打継ぎ目地の隙間３ａ、３ｂの処理も必要である。基礎のコーナーとなる出隅にかかる防蟻性断熱材２の小口面に現れる打継ぎ目地、また、入り隅にできる打継ぎ目地の隙間、及び、最上端に現れる打継ぎ目地の隙間には、例えば、樹脂の粘度が６０００ｃｐｓ、Ｄ硬度が４０以上のグラウト材であるエポキシ樹脂のパテを塗り込んで成形することが可能である。
【０１１１】
この部分（コーナー部など）は、ヘラでしごいて隙間３に流動性物質を押し込む充填作業となる為に、パテ状の粘度の高い物を使うと良い。さらに個々の現場の防蟻計画にしたがって、出隅、入り隅に上述の充填穴バリアー９１、９２、９３を設けることは当然である。
【０１１２】
さらに、図９（ａ）および図９（ｂ）に示すように、本発明に係る実施形態では、ガラスメッシュ１５を用いる。打継ぎ目地に設けられた充填穴バリアー９の防蟻性能を長期に確保するためには、充填穴バリアー９の保護が必要である。特に表面部は外界の影響を受け易く、紫外線、損傷などの危険性にさらされている。また、打継ぎ目地の開き防止の為にも充填穴バリアー９が設けられている打継ぎ目地には、引っ張り力やクラックの発生防止に有効なガラスメッシュ１５を仕上げ下地に塗りこんでおく事が好ましい。
【０１１３】
本実施形態ではガラスメッシュ素材を代表して述べたが、耐久性の高いステンレスメッシュ等も考えられる。本実施形態では、柔軟な施工性と取り扱い易さから、一般的に用いられているガラスメッシュ１５とした。また、メッシュの目の開きは、５ｍｍ〜６ｍｍ程度のものが、仕上げ下地の樹脂モルタルに塗りこみ易いが、これに限定されるものではない。
【０１１４】
なお、本発明は、上述した実施形態に限定されるものではなく、本発明の範囲内で種々に改変することができる。
【０１１５】
たとえば、仮に継ぎ手目地の隙間３の塞ぎ方が上記の原則を守れない場合には、隙間３の封鎖を防蟻性断熱材２より上部に対しても行ってもよい。
【産業上の利用可能性】
【０１１６】
本発明において、流動性物質の多成分（多液）からなる反応硬化型の樹脂を選んだ点では、住宅、特に木造住宅を主に建築している業界においては馴染みの薄いものであるが、建築界全般からみれば一般的である。本発明によって、基礎外断熱工法では不十分であった防蟻性能を向上させることができる。
【０１１７】
簡単な理屈と、多少の要領を会得すれば、誰でも実施可能な発明であり、本発明によって建物の長寿化が期待でき、薬害が忌避される社会情勢において、ひじょうに有効的な発明である。現在の住宅業界の環境であっても素早い対応ができ、簡便で確実な、しかも実施コストの低い発明である。
【図面の簡単な説明】
【０１１８】
【図１】図１は本発明の実施形態に係る貫通穴が穿孔された断熱材の概念図である。
【図２】図２は図１に示す貫通穴に充填材を注入し硬化させ充填穴バリアーとした場合の概念図である。
【図３】図３は本発明の実施形態に係る断熱材の側面方向からみた充填穴バリアーの配置例である。
【図４】図４は本発明の実施形態に係る充填穴の断面図である。
【図５】図５は本発明の実施形態に係る充填用スティックを用いた充填穴バリアーの概念図である。
【図６】図６は充填用スティックを貫通穴に挿入する様子を示す概念図である。
【図７】図７は充填用スティックが貫通穴に挿入完了された様子を示す概念図である。
【図８】図８は基礎コーナー部の外観図である。
【図９】図９（ａ）は充填用スティックを挿入しない場合、図９（ｂ）は充填用スティックを挿入した場合のメッシュの配置例を示す概念図である。
【符号の説明】
【０１１９】
１…コンクリート
２…防蟻性断熱材
２ａ…防蟻性断熱材の天端
２１…防蟻性断熱材の地中埋設部分
３…縦方向の打継ぎ目地の隙間
３ｂ…入り隅にできる継ぎ目地の隙間
３１…横方向の打継ぎ目地の隙間
４…充填穴の表面開口部
５…充填され硬化した流動性物質
６…隙間に流入した流動性物質
６ａ…隙間に流入して硬化した流動性物質
７…流動性物質と布部コンクリートとの接着面
８…防蟻性断熱材を貫通する充填穴
９…充填穴バリアー
９１…グランドラインとその上方１５ｃｍ以内との間にある充填穴バリアー
９２…交差目地に設けられた充填穴バリアー
９３…安全のために基礎上部に設けられた充填穴バリアー
１０…天端
１１…水平な充填穴と下方向きの穴の角度
１２…充填用スティック
１２ａ…充填用スティックの表面
１４…一体成形されたコーナー部材
１５…ガラスメッシュ
１６…仕上げ下地の下塗り
１７…仕上げ下地の中塗り
１８…仕上げ
【図１】
2010059712.tif 000003
【図２】
2010059712.tif 000004
【図３】
2010059712.tif 000005
【図４】
2010059712.tif 000006
【図５】
2010059712.tif 000007
【図６】
2010059712.tif 000008
【図７】
2010059712.tif 000009
【図８】
2010059712.tif 000010
【図９】
2010059712.tif 000011